(57)【要約】      （修正有）【課題】混合気を生成する際に吸引する大気中の空気をその混合前に放射性希土類鉱石によるマイナスイオン化作用により酸素分子を単分子化し、燃料との結び付きを良好として燃焼し易い状態に変化させ、それらによって燃焼効率が大幅に向上され、排気ガス量も削減する。【解決手段】通気体のハニカムの内側面及びネットの孔内を含めた外表面全体に１μｍ以下に粉砕した放射性希土類鉱石を付着してなるフィルタと、多孔性不織布或いは織布よりなる布の全体に１μｍ以下に粉砕した放射性希土類鉱石を付着し、布を耐熱性材料により囲繞した幅のある長尺状ベルトとした空気活性化手段と、上記同様、多孔性不織布或いは織布よりなる布の全体に１μｍ以下に粉砕した放射性希土類鉱石を付着し、布を耐熱性材料により囲繞した短尺状ベルトとした燃料活性化手段とよりなるエンジンのための空気及び燃料の活性化補助具。【選択図】図１
0003138865.tif 000002
【実用新案登録請求の範囲】
【請求項１】
合成繊維をハニカム状に織成した厚手のネットと該ネットのいずれか一面又は両面に一体形成した多孔性の不織布ネット或いは織布ネットとより通気体を形成し、該通気体のハニカムの内側面及びネットの孔内を含めた外表面全体に１μｍ以下に粉砕した放射性希土類鉱石を付着してなるフィルタと、多孔性不織布或いは織布よりなる布の全体に１μｍ以下に粉砕した放射性希土類鉱石を付着し、該布を耐熱性材料により囲繞した幅のある長尺状ベルトとした空気活性化手段と、上記同様、多孔性不織布或いは織布よりなる布の全体に１μｍ以下に粉砕した放射性希土類鉱石を付着し、該布を耐熱性材料により囲繞した短尺状ベルトとした燃料活性化手段とよりなるエンジンのための空気及び燃料の活性化補助具。
【請求項２】
フィルタは、４ｍｍ〜１０ｍｍの厚さとしたことを特徴とする請求項１に記載の空気及び燃料の活性化補助具。
【請求項３】
ベルトは、１００℃〜３００℃に耐える耐熱性材料よりなり、その長手方向の両端部には同じく１００℃〜３００℃に耐える耐熱性固定手段を設けたことを特徴とする請求項１又は２に記載の空気及び燃料の活性化補助具。
【請求項４】
耐熱性固定手段は、ベルベットファスナーとしたことを特徴とする請求項３に記載の空気及び燃料の活性化補助具。
【考案の詳細な説明】
【技術分野】
【０００１】
本考案は、軽自動車、普通自動車或いは大型自動車等の各種自動車、オートバイ等の陸上乗物の他、船舶、飛行機等に搭載されるエンジンにあって、その燃料となるガソリンや軽油、重油或いはそれらと他の燃料との混合物又はプロパン等の当該燃料の通路及び該燃料と混合される空気の通路に使用されるもので、燃料の燃焼効率を向上させ、それによる大幅な燃費の向上と排気ガス中のＣＯ2を削減し、大気の清浄化を図ることができる空気及び燃料の活性化補助具に関する。
【背景技術】
【０００２】
一般的に、エンジンは、液状となっている燃料を気化したものと、大気中から取り入れた空気とを混合して混合気とし、それを爆発させる使用形態を採り、それにより動力を得、その駆動力を利用することが基本となっている。ところが、上記大気中から取り入れる空気には大気汚染等による影響でミクロ単位の汚染物質が付着した成分となっている。
【０００３】
この汚染物質が付着している空気中の成分である酸素等を混合気として使用した場合、酸素と燃料との結合が十分に生かされず燃焼効率は低下し、エンジンの潜在パワーも十分に引き出すことができず、燃料の消費の割合に走行距離が短く、しかも、排気ガス中には多くの酸化炭素、炭化水素や鉛等が混在し、それら成分を大気中に排出することとなり、自然環境を著しく悪化させていた。
【０００４】
他方、燃料そのものの効率化を図るために燃料に磁界を形成して印加する磁気処理装置を採用し、当該装置により燃料の活性化を図るものがあったが、当該磁気処理装置は大がかりで且つ装着がたいへんであったし、混合気となる空気の前処理を行うものではなかった。
【特許文献１】実用新案登録第３０８２３０７号公報
【特許文献２】特開２００２−３７１９２６号公報
【考案の開示】
【考案が解決しようとする課題】
【０００５】
本考案は、上記欠点を解決したもので、混合気を生成する際に吸引する大気中の空気をその混合前に放射性希土類鉱石によるマイナスイオン化作用により酸素分子を単分子化し、燃料との結び付きを良好として燃焼し易い状態に変化させ、更に、燃料にも放射性希土類鉱石により燃料粒子を小さくして当該燃料が酸素と融合し易い状態を作り出し、それらによって燃焼効率が大幅に向上され、排気ガス量も削減するものである。また、そのための空気活性化手段及び燃料活性化手段等の補助具は、簡単な装置で、且つ所定箇所への取り付けも容易に行うことができることをその目的とした空気及び燃料の活性化補助具を提供するものである。
【課題を解決するための手段】
【０００６】
この問題点を解決するために、本考案に係るエンジンの空気及び燃料の活性化補助具は、合成繊維をハニカム状に織成した厚手のネットと該ネットのいずれか一面又は両面に一体形成した多孔性の不織布ネット或いは織布ネットとより通気体を形成し、該通気体のハニカムの内側面及びネットの孔内を含めた外表面全体に１μｍ以下に粉砕した放射性希土類鉱石を付着してなるフィルタと、多孔性不織布或いは織布よりなる布の全体に１μｍ以下に粉砕した放射性希土類鉱石を付着し、該布を耐熱性材料により囲繞した幅のある長尺状ベルトとした空気活性化手段と、上記同様、多孔性不織布或いは織布よりなる布の全体に１μｍ以下に粉砕した放射性希土類鉱石を付着し、該布を耐熱性材料により囲繞した短尺状ベルトとした燃料活性化手段とよりなることを特徴としている。
【０００７】
また、上記フィルタは、４ｍｍ〜１０ｍｍの厚さとした空気及び燃料の活性化補助具を特徴とする。
【０００８】
更に、上記長・短のベルトは、１００℃〜３００℃に耐える耐熱性材料よりなり、その長手方向の両端部には同じく１００℃〜３００℃に耐える耐熱性固定手段を設けた空気及び燃料の活性化補助具を特徴とする。
【０００９】
また、上記耐熱性固定手段は、ベルベットファスナーとした空気及び燃料の活性化補助具を特徴とする。
【考案の効果】
【００１０】
本考案に係る空気及び燃料の活性化補助具は、そのフィルタから放出されるマイナスイオンにより、大気中の、特に酸素や窒素に付着している汚染物質を酸化還元電位を下げることにより分解して混合気をクリーンにすることができ、併せて、上記フィルタ及び空気送出管に巻き付けたベルトからの遠赤外線やマイナスイオンの発生により分子を単分子化し、それにより燃料との結び付きを効率化させて燃焼させることができ、燃費の向上を図る他、排気ガスの量の低減と燃料効率の上昇により大気の清浄化を図ることが可能となった。
【００１１】
更に、本考案の空気及び燃料の活性化補助具は、そのベルトを、燃料となるガソリンや軽油、重油或いはそれらと他の燃料との混合物又はプロパン等が移動する燃料送出管の外周に巻き付け固定する簡単な手段により、燃料送出管内を通過する燃料に対し、遠赤外線からの育成光線やマイナスイオンを付与させ、燃料の分子の単分子化を図り、それにより燃料の気化する摩擦係数を小さくして燃焼し易くし、上記空気活性手段と併せて２０％〜２５％の大幅な燃料の効率化を図ることが可能となった。
【考案を実施するための最良の形態】
【００１２】
以下、図面により、当該一実施例を説明する。
【実施例１】
【００１３】
図１は、本考案のエンジンの空気及び燃料の活性化補助具の内のフィルタ１の実施例を示すもので、該フィルタ１は、ポリプロピレン等の合成繊維をハニカム状に織成したもので、ハニカム状となる貫通孔２を多数並設形成した通気体よりなる厚手のネット３と、該ネット３の表面、或いは裏面又は表・裏両面全体に、不織布或いは織布よりなる多孔性の薄手のネット４とを一体化して形成している。
【００１４】
上記フィルタ１は、幅広の長尺状のもので、可撓性を有し、彎曲面や凹凸面等の各種面に密着して付着できるようにしてなるものである。上記長尺のフィルタ１を装着箇所に合わせて適宜切断することも容易である。
【００１５】
上記フィルタ１には、鉱石中の斑状花崗閃緑岩、モナズ石、麦飯石等の放射性希土類鉱石を１μｍ以下の粒子径となるようにナノ単位に微粉砕してパウダー状としたものと、マイナスイオンを吸着しないか吸着し難い高分子化合物よりなるバインダーとを混合し、該混合物を付着する。上記放射性希土類鉱石とバインダーとは１０〜２０：１〜３の割合で混合する。上記バインダーとしては、ポリエステル樹脂、アクリル樹脂、ポリエチレン樹脂等の合成樹脂や天然樹脂、合成ゴム等を挙げることができる。
【００１６】
上記放射性希土類鉱石をパウダー状にしたものにバインダーを混入し、これを容器内で撹拌する。この容器内の混合物中へフィルタ１を漬け込み、該フィルタ１全体に放射性希土類鉱石が均等に付着するようにする。
【００１７】
容器から取り出したフィルタ１は、振動させながら余分な材料を落下除去し、その後、乾燥させる。乾燥後、ミネラルウォータ等の希釈水をフィルタ１にスプレーし、再び乾燥させて放射性希土類鉱石の付着したフィルタ１を得る。また、上記漬け込み以外にスプレー等による吹き付け塗着も可能である。
【００１８】
上記によって得られたフィルタ１は、図２に示すように、軽自動車、普通自動車或いは大型自動車等の各種自動車、オートバイ等の陸上乗物の他、船舶、飛行機等に搭載されるエンジンに導入される空気取り入れ口５の内側となるエアクリーナー等の内面となる側壁面、天井面、床面等に取着することになる。上記長尺のフィルタ１を容器の内面を覆うようにカットし、その裏側部に強力な両面貼着テープ６等の取着手段を使用して強固に取り付ける。取着箇所は、側壁面、天井面或いは床面のいずれか又はその組み合わせ等適宜面とすることができる。
【００１９】
上記フィルタ１を容器の内面に取り付けることにより、空気はフィルタ表面に付着している放射性希土類鉱石から放出されるマイナスイオンや遠赤外線からの育成光線により酸素等に付着している汚染物質を分解して空気のクリーン化を図ることができ、併せて酸素分子等を単分子化して燃料と結び付けさせることができ、燃料の効率化を図ることが可能となった。
【００２０】
図３は、本考案のエンジンの空気及び燃料の活性化補助具の内の空気活性化手段としての長尺ベルト７を示すもので、該長尺ベルト７は、布８と耐熱性材料９とによって形成されている。該布８は、多孔性不織布或いは織布よりなり、１μｍ以下に粉砕してパウダー状とした放射性希土類鉱石を付着している。上記布８は、薄手の幅広のものを折り曲げ重ねて使用したり、やや厚手の布を使用することが可能である。
【００２１】
上記放射性希土類鉱石の滲み込ませは、上記したフィルタ１への付着と同様、或いは塗着により行うことができる。乾燥後、耐熱性材料９によって全体を囲繞する。耐熱性材料９としては加硫ゴム層、フェノール樹脂を含有したゴム層、難燃接着層、両面金属蒸着ポリエステルフィルム層、フッ素樹脂フィルム層よりなる耐熱布や、全芳香族ポリアミド繊維、全芳香族ポリエステル繊維又はヘテロ環芳香族繊維等の高強力耐熱性有機繊維からなる耐熱布等の消防服として使用されている材料が最適で、耐熱温度が１５０℃〜３００℃のものが使用される。囲い込むための縫製手段となる糸も同温度に耐えるものが使用される。
【００２２】
上記布８及びそれを取り囲む耐熱性材料９は、長尺で幅広のものとし、その長手方向の両端部には係止手段１０を設ける。該係止手段１０も上記同様、１５０℃〜３００℃の温度に耐えられるものとする。
【００２３】
係止手段としてはベルベットファスナーのような脱着が簡単で且つ一旦係止されると外れにくいものがよい。
【００２４】
上記長尺ベルト７は、エンジンに送り込まれる直前のエアクリーナーからの送通管１１の外周に、該送通管１１を取り巻くようにして該係止手段１０により固定する。従って、ワンタッチで巻き付け固定することができる。
【００２５】
上記長尺ベルト７の巻き付けにより、該長尺ベルト７から放出される遠赤外線やマイナスイオン等により空気の酸素分子等の単分子化を図ることができる。
【００２６】
上記のように、空気取り入れ口５の内側となる容器内面に取着されるフィルタ１と送通管１１の外周に巻かれた長尺ベルト７との簡単な手段によって空気中の酸素分子をクリーン化し、単分子化することが可能となった。
【００２７】
図５は、本考案のエンジンの空気及び燃料の活性化補助具の内の燃料活性化手段としての短尺ベルト１２を示している。該短尺ベルト１２は、上記長尺ベルト７と同様、内側に配置される布１３とそれを取り囲む耐熱性材料１４とによって形成されている。該布１３は、多孔性不織布或いは織布よりなり、１μｍ以下に粉砕してパウダー状とした放射性希土類鉱石を付着している。上記布１３は、薄手の幅広のものを折り曲げ重ねて使用したり、やや厚手の布を使用することが可能である。
【００２８】
上記放射性希土類鉱石の滲み込ませは、上記したフィルタ１への付着と同様、或いは塗着により行うことができる。乾燥後、耐熱性材料１４によって全体を囲繞する。耐熱性材料１４としては耐熱布よりなる消防服として使用されている材料が最適で、耐熱温度が１５０℃〜３００℃のものが使用される。囲い込むための縫製手段となる糸も同温度に耐えるものが使用される。
【００２９】
上記布１３及びそれを取り囲む耐熱性材料１４は、短尺のものとし、その長手方向の両端部には係止手段１５を設ける。該係止手段１５も上記同様、１５０℃〜３００℃の温度に耐えられるものとする。
【００３０】
係止手段としてはベルベットファスナーのような固定が簡単で且つ一旦係止されると外れにくいものがよい。
【００３１】
上記短尺ベルト１２は、エンジンに送り込まれる前の燃料送出管１６の外周に巻き付け固定する。係止手段１５により燃料送出管１６にワンタッチで巻き付け固定することができる。
【００３２】
上記短尺ベルト１２の巻き付けにより、該短尺ベルト１２から放出される遠赤外線やマイナスイオン等により燃料分子を単分子化し、燃料の燃焼効率の上昇を図ることが可能となった。
【００３３】
上記のように、空気活性化手段と燃料活性化手段とにより２０％〜２５％の大幅な燃料の低減ができ、排出ガスの清浄化を達成することも可能となった。
【図面の簡単な説明】
【００３４】
【図１】本考案の空気及び燃料の活性化補助具の内のフィルタの斜視図。
【図２】本考案の空気及び燃料の活性化補助具の内のフィルタを容器の内側に取着した斜視図。
【図３】本考案の空気及び燃料の活性化補助具の内の長尺ベルトの平面図。
【図４】本考案の空気及び燃料の活性化補助具の内の長尺ベルトを送通管に装着した状態を示す図。
【図５】本考案の空気及び燃料の活性化補助具の内の短尺ベルトの平面図。
【図６】本考案の空気及び燃料の活性化補助具の内の短尺ベルトを燃料送出管に装着した状態を示す図。
【符号の説明】
【００３５】
１          フィルタ
２          ハニカム状貫通孔
３          厚手ネット
４          薄手ネット
５          空気取り入れ口
６          両面貼着テープ
７          長尺ベルト
８          布
９          耐熱性材料
１０          係止手段
１１          送通管
１２          短尺ベルト
１３          布
１４          耐熱性材料
１５          係止手段
１６          燃料送出管
【図１】
0003138865.tif 000003
【図２】
0003138865.tif 000004
【図３】
0003138865.tif 000005
【図４】
0003138865.tif 000006
【図５】
0003138865.tif 000007
【図６】
0003138865.tif 000008